【事件の表示】
　特許第３１５８５２７号「放射線硬化型塗工剤による硬化塗膜を有する屈曲用素材」の請求項１に係る特許に対する特許異議の申立てについて、次のとおり決定する。
【結　論】
　訂正を認める。
　特許第３１５８５２７号の請求項１に係る特許を維持する。
【理　由】
１．手続の経緯
　
　本件特許第３１５８５２７号の請求項１に係る発明は、平成３年９月１８日に出願され、平成１３年２月１６日にその特許権の設定登録がなされ、その後、株式会社ディスクより特許異議の申立てがあり、取消理由通知後、その指定期間内である平成１４年３月２２日に訂正請求がなされたものである。
　
２．訂正の適否についての判断
　
（１）訂正の内容
　
　訂正請求は、本件特許明細書を訂正請求書に添付した訂正明細書のとおりに訂正しようとするものであって、その訂正の内容は次の（ａ）及び（ｂ）のとおりである。
（ａ）特許請求の範囲の請求項１において、「硬化塗膜」を「表面保護のための硬化塗膜」に限定し、請求項１を次のように訂正する。
「【請求項１】可撓性の素材に、プレポリマー分子の両末端にそれぞれ１つ以上の（メタ）アクリロイル基を有し、かつ、プレポリマー主鎖の繰り返しユニット中に（メタ）アクリロイル基を側鎖として有する化合物を少なくとも１種含む放射線硬化型塗工剤による表面保護のための硬化塗膜を設けてなることを特徴とする屈曲用素材。」
（ｂ）明細書の段落［０００６］における「硬化塗膜」を「表面保護のための硬化塗膜」に訂正する。
　
（２）訂正の目的の適否、新規事項の有無及び拡張・変更の存否
　
　（ａ）の訂正は、特許請求の範囲の請求項１において、「硬化塗膜」を下位概念の「表面保護のための硬化塗膜」に限定しようとするものであるから特許請求の範囲の減縮を目的とするものであり、明細書の段落［０００５］における「本発明は・・・・・・その課題とするところは、表面保護性に優れ、可撓性および強靱性に優れた放射線硬化型塗工剤による硬化塗膜を有する屈曲用素材を提供することにある」との記載、及び段落［００３８］における「本発明は・・・・フレキシブルな柔軟性が要求される屈曲用素材において、・・・・表面保護性、可撓性、強靱性、耐屈曲性に優れた硬化塗膜を有する屈曲用素材を得ることができる」との記載に基づくものであるから、明細書の記載事項の範囲内の訂正であって、実質的に特許請求の範囲を拡張又は変更するものではない。
（ｂ）の訂正は、（ａ）の訂正に伴い、明細書の「発明の詳細な説明」の記載を特許請求の範囲の記載に整合させるための訂正であるから、明りょうでない記載の釈明を目的とするものであり、（ａ）の訂正におけるのと同様の理由により、明細書の記載事項の範囲内での訂正であって、実質的に特許請求の範囲を拡張又は変更するものではない。
　
（３）むすび
　
　以上のとおりであるから、上記訂正は、特許法第１２０条の４第３項において準用する平成６年法律第１１６号による改正前の特許法第１２６条第１項ただし書及び同条第２項の規定に適合するので、当該訂正を認める。
　
３．特許異議申立てについての判断
　
（１）本件発明
　
　上記のとおり、訂正が認められるので、本件請求項１に係る発明は、訂正明細書の特許請求の範囲請求項１に記載された、上記の２．（１）（ａ）に記載のとおりのものである。
　
（２）異議申立ての理由の概要
　
　異議申立人は、下記の甲第１号証〜甲第３号証を提示し、訂正前の請求項１に係る発明は、甲第１号証に記載された発明であり、また、甲第１号証〜甲第３号証に記載された発明に基づいて当業者が容易に発明をすることができるものであるから、当該請求項１に係る特許は、特許法第２９条第１項または同条第２項の規定に違反してなされたものであり、取り消されるべきものである、と主張している。
　
　甲第１号証：特開昭６０−６９６４８号公報
　甲第２号証：特開昭６１−２３８号公報
　甲第３号証：特開昭６０−１４３９９３号公報
　
（３）当審における取消理由の概要
　
　訂正前の本件請求項１に係る発明は、刊行物１〜刊行物３（甲第１号証〜甲第３号証に該当）に記載された発明に基づいて当業者が容易に発明をすることができるものであるから、当該請求項１に係る特許は、特許法第２９条第２項の規定に違反してなされたものであり取り消されるべきものである、というものである。
　
（４）甲号各証に記載の発明
　
　甲第１号証には、「支持体基材の１面に、電子線により硬化可能な化合物を含有する層を被着し、この被着層上に硬質微粉末を散布し、電子線によりこれを硬化してなる裏面層を有する支持体を備え、この支持体の裏面層と反対側にハロゲン化銀乳剤層を担持してなることを特徴とするハロゲン化銀写真感光材料。」（特許請求の範囲）に係る発明が記載され、「電子線により硬化可能な化合物」として列挙されているものの中に、「プレポリマー分子の両末端にそれぞれ１つ以上の（メタ）アクリロイル基を有し、かつ、プレポリマー主鎖の繰り返しユニット中に（メタ）アクリロイル基を側鎖として有する化合物」に該当する化合物が示され（化合物２、３頁右下欄〜４頁左上欄）、更に、支持体基材に関しては、「支持体基材としては、・・・・・よりなる紙基材が使用できる。あるいは、ポリエステル類、ポリオレフィン類のベースに、必要に応じ硬質無機白色顔料が分散されたフィルムを用いてもよい。」（８頁左下欄３〜９行）と記載され、実施例では、坪量１５０ｇ／ｍ２の上質紙に電子線により硬化可能な化合物を含有する組成物を２０〜５０μｍの厚さに被覆し、硬化後、塗布面を外側にして、曲げの曲率半径２ｍｍ、曲げ角度１８０°における塗膜状態を評価した折り曲げテストの結果、全く異常がない屈曲性を有することが示されている。
　甲第２号証には、プラスチック基材に対する密着性が優れた架橋硬化塗膜を有するプラスチック成形品を製造するための、「プラスチック成形品の表面に紫外線架橋樹脂を塗布した後、紫外線を多段にわたり照射して架橋硬化塗膜を形成せしめるプラスチック成形品の製造方法」（特許請求の範囲）に関する発明が記載され、紫外線架橋樹脂として挙げられている種々の化合物の一つに「プレポリマー分子の両末端にそれぞれ１つ以上の（メタ）アクリロイル基を有し、かつ、プレポリマー主鎖の繰り返しユニット中に（メタ）アクリロイル基を側鎖として有する化合物」に該当する化合物が示され（３頁）、「本発明の方法によって得られるプラスチック成形品は硬度が高く、耐摩傷性が優れていると共に、塗膜の基材に対する密着性が優れているため、メガネレンズ等の光学レンズ、計器又はオーディオ製品カバー等ばかりでなく、自動車のヘッドレンズカバー、リヤウィンドウ等として用いた場合にもその特徴を大きく発揮するものである。」（４頁右上欄下から４行〜左下欄４行）と説明されている。
　甲第３号証には、「活性エネルギー線硬化性樹脂及びカチオン染料可染ダイサイトから成ることを特徴とするカチオン染料乾式転写発色用コーティング剤及び該剤をフィルム又は紙の表面に塗布し、次いで活性エネルギー線で硬化せしめることを特徴とするカチオン染料乾式転写発色用物品の製造方法」（特許請求の範囲）に係る発明が記載され、活性エネルギー線硬化性樹脂として挙げられている種々の化合物の一つに「プレポリマー分子の両末端にそれぞれ１つ以上の（メタ）アクリロイル基を有し、かつ、プレポリマー主鎖の繰り返しユニット中に（メタ）アクリロイル基を側鎖として有する化合物」を含有するものが記載され、更に、活性エネルギー線として紫外線、電子線などの放射線が挙げられている。
　
（５）対比・判断
　
（ａ）特許法第２９条第１項違反について
　
　本件特許明細書には「屈曲用素材」の明確な説明はないが、実施例では、厚さ４００μｍの塩ビシートに硬化膜が２μｍになるように塗工剤を塗布し硬化させ、３６０°に屈曲した時の塗膜状態を評価しているところからみて、「屈曲用素材」とは特許権者が意見書において主張しているように「屈曲加工（折り曲げ加工）を施して用いるための素材」を意味していると解することができる。
　そこで、訂正後の本件請求項１に係る発明（以下「本件発明」という）と甲第１号証に記載された発明を比較すると、甲第１号証の発明における基材である紙やフィルムは可撓性の素材であるから、両者は、「可撓性の素材に、プレポリマー分子の両末端にそれぞれ１つ以上の（メタ）アクリロイル基を有し、かつ、プレポリマー主鎖の繰り返しユニット中に（メタ）アクリロイル基を側鎖として有する化合物を少なくとも１種含む放射線硬化型塗工剤による硬化塗膜を設けてなることを特徴とする素材」という点では一致しているが、本件発明は「屈曲用」の素材である点で、「屈曲用」とは記載されていない甲第１号証の発明と相違している。
　甲第１号証には、曲げの曲率半径２ｍｍ、曲げ角度１８０°における塗膜状態を評価した折り曲げテストの結果が示され、該素材の屈曲性が格段と良好であることが記載されてはいるが、甲第１号証の発明は、ハロゲン化銀写真感光材料に係る発明であり、屈曲性は必要であっても、それに折り曲げ加工を施して使用することが通常の使用態様とはいえず、「屈曲用」の素材が開示されているとまではいえない。
　したがって、本件発明は、甲第１号証に記載された発明ではなく、本件特許は特許法第２９条第１項に違反してなされたものではない。
　
（ｂ）特許法第２９条第２項違反について
　
　本件発明と甲号各証に記載された発明を比較すると、甲第２号証及び甲第３号証には屈曲性に関する記載は全くない。甲第１号証に記載の素材は優れた屈曲性を有するものではあるが、本件発明は、甲第１号証に記載された発明が想定している条件より遙かに厳しい条件での屈曲に耐えうる屈曲用素材を、甲第１号証の発明が使用可能としている「電子線により硬化可能な化合物」として同列に列挙しているものの中から特定の化合物を選定することにより可能にしたものであるから、本件発明は、当業者が甲第１号証〜甲第３号証に基いて容易に発明をすることができたものとは認められない。
  したがって、本件発明は、甲第１号証〜甲第３号証に記載された発明に基いて当業者が容易に発明をすることができたものではないから、本件特許は特許法第２９条第２項に違反してなされたものではない。
　
（６）むすび
　
　以上のとおりであるから、特許異議申立ての理由および証拠をもっては、本件請求項１の発明に係る特許を、取り消すことはできない。
　また、他に該特許を取り消すべき理由を発見しない。
  よって、結論のとおり決定する。
【異議決定日】
平成１５年１月３１日（２００３．１．３１）
【訂正の要旨】
　▲１▼訂正事項ａ
　特許請求の範囲の請求項１を、特許請求の範囲の減縮を目的として、以下のとおり訂正する。
「【請求項１】
　可撓性の素材に、プレポリマー分子の両末端にそれぞれ１つ以上の（メタ）アクリロイル基を有し、かつ、プレポリマー主鎖の繰り返しユニット中に（メタ）アクリロイル基を側鎖として有する化合物を少なくとも１種含む放射線硬化型塗工剤による
表面保護のための
　▲２▼訂正事項ｂ
　明細書の第〔０００６〕段落を、不明瞭な記載の釈明を目的として、以下のとおり訂正する。
「【０００６】
　【課題を解決するための手段】
　本発明はこの課題を解決するために、可撓性の素材に、プレポリマー分子の両末端にそれぞれ１つ以上の（メタ）アクリロイル基を有し、かつ、プレポリマー主鎖の繰り返しユニット中に（メタ）アクリロイル基を側鎖として有する化合物を少なくとも１種含む放射線硬化型塗工剤による
表面保護のための
（５４）【発明の名称】
放射線硬化型塗工剤による硬化塗膜を有する屈曲用素材
（５７）【特許請求の範囲】
　【請求項１】
　可撓性の素材に、プレポリマー分子の両末端にそれぞれ１つ以上の（メタ）アクリロイル基を有し、かつ、プレポリマー主鎖の繰り返しユニット中に（メタ）アクリロイル基を側鎖として有する化合物を少なくとも１種含む放射線硬化型塗工剤による
表面保護のための
【発明の詳細な説明】
　【０００１】
　【産業上の利用分野】
　本発明は、放射線硬化型塗工剤による硬化塗膜を有する屈曲用素材に関する。
　【０００２】
　【従来の技術】
　近年、放射線硬化型塗工剤は、プラスチックや紙、金属等への印刷インキのバインダーおよび表面保護コーティング剤として、あらゆる分野において利用されるに至っている。広く利用されている理由として、瞬時硬化特性により生産性に優れている、有機溶剤を必ずしも必要としないため環境保全に役立つ、耐水・耐薬品性等の化学的耐性に優れている、そして表面耐擦傷性等の物理的耐性に優れている、などがあげられる。
　【０００３】
　表面保護性に優れた硬い塗膜を得る場合、硬化塗膜の架橋密度を上げるために放射線硬化型塗工剤の官能基濃度を高くすることが通常行われている。官能基濃度を高くする方法として、ペンタエリスリトールトリ（メタ）アクリレート、トリメチロールプロパントリ（メタ）アクリレート、ジペンタエリスリトールヘキサ（メタ）アクリレート、等の多官能モノマーを用いることが考えられる。
　【０００４】
　しかしながら、これら多官能モノマーにより硬化時の収縮が大きくなり、塗膜に蓄積される内部応力が大きくなる。そのため硬化塗膜の可撓性および強靭性に劣り、塗膜にクラックが入りやすくなる欠点がある。
　【０００５】
　【発明が解決しようとする課題】
　本発明はこのような問題点を解決するためになされたもので、その課題とするところは、表面保護性に優れ、可撓性および強靭性に優れた放射線硬化型塗工剤による硬化塗膜を有する屈曲用素材を提供することにある。
　【０００６】
　【課題を解決するための手段】
　本発明はこの課題を解決するために、可撓性の素材に、プレポリマー分子の両末端にそれぞれ１つ以上の（メタ）アクリロイル基を有し、かつ、プレポリマー主鎖の繰り返しユニット中に（メタ）アクリロイル基を側鎖として有する化合物を少なくとも１種含む放射線硬化型塗工剤による
表面保護のための
　【０００７】
　以下、本発明を詳細に説明する。プレポリマー分子の両末端にそれぞれ１つ以上の（メタ）アクリロイル基を有し、かつ、プレポリマー主鎖の繰り返しユニット中に（メタ）アクリロイル基を側鎖として有する多官能の化合物は、以下のような分子構造のものがある。
　【０００８】
　　ｎ≧２
　　ａ；（メタ）アクリロイル基
　　ｂ；２塩基酸、または、ジイソシアネート
　【０００９】
　２塩基酸としては、琥珀酸、グルタール酸、アジピン酸、スベリン酸、フタル酸、イソフタル酸、テレフタル酸、等があげられる。
　【００１０】
　ジイソシアネートとしては、ヘキサメチレン・ジイソシアネート、２・４−トリレン・ジイソシアネート、２・６−トリレン・ジイソシアネート、４・４’−ジフェニルメタン・ジイソシアネート、ナフチレン・ジイソシアネート、トリジン・ジイソシアネート、イソホイロン・ジイソシアネート、キシリレン・ジイソシアネート、ジシクロヘキシル・ジイソシアネート、リジン・ジイソシアネート、等があげられる。
　【００１１】
　【作用】
　本発明は、放射線硬化型塗工剤に含まれる以上のような化合物がプレポリマーであることにより、モノマーと比較して、架橋硬化によりポリマー化したときの収縮が低く抑えられる。かつ、プレポリマー分子の主鎖の繰り返しユニット中に（メタ）アクリロイル基を側鎖として有することにより、モノマーと比較して、放射線硬化型塗工剤としての官能基濃度は同程度に高く、硬化塗膜の架橋密度も同程度に高くなる。
　【００１２】
　【実施例】
　＜実施例１＞
　厚さ４００μｍの塩ビシートの片面にウレタンアクリレート（ダイセル・ＵＣＢ（株）製、「ＥＢＥＣＲＹＬ　２８４」）が５０重量部と、プレポリマーとして、
　【００１３】
　【化１】
　【００１４】
　が５０重量部と、光開始剤（メルク社製、「ダロキュアー１１７３」）が５重量部よりなる放射線硬化型塗工剤を、ドライオフセット方式にて硬化後の膜厚が約２μｍ程度となるように塗工する。
　【００１５】
　塗工後引き続き、紫外線照射装置（アイグラフィックス（株）製：メタルハライドランプ１２０Ｗ／ｃｍ、２灯）の照射下を通過させ、照射線量約４００ｍＪ／ｃｍ２のエネルギーで塗膜を硬化させた。
　【００１６】
　＜実施例２＞
　実施例１において、光開始剤を含まない以外は同様のものを電子線照射装置（日新ハイボルテージ（株）製：「キュアトロン」）の照射下を通過させ、照射線量約４．０Ｍｒａｄのエネルギーで塗膜を硬化させた。
　【００１７】
　＜実施例３＞
　実施例２において、プレポリマーの組成が以下のものであること以外は実施例２と同様の方法で塗膜を硬化させた。
　【００１８】
　【化２】
　【００１９】
　＜実施例４＞
　実施例２において、プレポリマーの組成が以下のものであること以外は実施例２と同様の方法で塗膜を硬化させた。
　【００２０】
　【化３】
　【００２１】
　＜実施例５＞
　実施例２において、プレポリマーの組成が以下のものであること以外は実施例２と同様の方法で塗膜を硬化させた。
　【００２２】
　【化４】
　【００２３】
　＜実施例６＞
　実施例２において、プレポリマーの組成が以下のものであること以外は実施例２と同様の方法で塗膜を硬化させた。
　【００２４】
　【化５】
　【００２５】
　＜実施例７＞
　実施例２において、プレポリマーの組成が以下のものであること以外は実施例２と同様の方法で塗膜を硬化させた。
　【００２６】
　【化６】
　【００２７】
　＜比較例１＞
　実施例１において、プレポリマーの代わりに以下の組成のものを用いたこと以外は実施例１と同様の方法で塗膜を硬化させた。
　【００２８】
　　（ＣＨ２＝ＣＨＣＯＯＣＨ２）３−ＣＣＨ２ＯＨ
　【００２９】
　＜比較例２＞
　実施例１において、プレポリマーの代わりに以下の組成のものを用いたこと以外は実施例１と同様の方法で塗膜を硬化させた。
　【００３０】
　　（ＣＨ２＝ＣＨＣＯＯＣＨ２）３−ＣＣＨ２ＣＨ３
　【００３１】
　＜比較例３＞
　実施例１において、プレポリマーの代わりに以下の組成のものを用いたこと以外は実施例１と同様の方法で塗膜を硬化させた。
　【００３２】
　　（（ＣＨ２＝ＣＨＣＯＯＣＨ２）３−ＣＣＨ２）２−Ｏ
　【００３３】
　＜比較例４＞
　実施例２において、プレポリマーの代わりに比較例１の組成のものを用いたこと以外は実施例２と同様の方法で塗膜を硬化させた。
　【００３４】
　＜比較例５＞
　実施例２において、プレポリマーの代わりに比較例２の組成のものを用いたこと以外は実施例２と同様の方法で塗膜を硬化させた。
　【００３５】
　＜比較例６＞
　実施例２において、プレポリマーの代わりに比較例３の組成のものを用いたこと以外は実施例２と同様の方法で塗膜を硬化させた。
　【００３６】
　実施例１〜６、比較例１〜６にて得られた硬化塗膜をテーバー摩耗試験機（東洋精機製作所（株）製）を用いて、ＣＳ−１０、加重５００ｇ、１００回転の条件下にて摩耗試験を行い、摩耗の程度はヘーズで評価した。また、∠３６０に屈曲したときの塗膜の状態をクラックの有無で評価した。
　【００３７】
　【表１】
　【００３８】
　【発明の効果】
　以上に示したように、本発明は、可撓性の素材に、プレポリマー分子の両末端にそれぞれ１つ以上の（メタ）アクリロイル基を有し、かつ、プレポリマー主鎖の繰り返しユニット中に（メタ）アクリロイル基を側鎖として有する化合物を少なくとも１種含む放射線硬化型塗工剤による硬化塗膜を設けることにより、放射線硬化型塗工剤の硬化時の収縮が低く抑えられ、なおかつ硬化塗膜の架橋密度は低下しないので、フレキシブルな柔軟性が要求される屈曲用素材において、表面保護のための印刷およびコーティングを施すことに対する制限を受けることなく、表面保護性、可撓性、強靭性、耐屈曲性に優れた硬化塗膜を有する屈曲用素材を得ることができるという、顕著な効果を奏するものである。